(57)【要約】      （修正有）【課題】携帯端末と、携帯端末で生成された画面を表示し、また携帯端末の操作が可能な外部の表示・入力装置で構成される無線通信システムを提供する。【解決手段】携帯電話機１、外部の表示・入力装置２はそれぞれ、通信に際して識別子情報を用いて相手機器との間で認証を行ない、認証した相手機器との間で近距離無線通信を行なう機能とを有する機器認証・通信部１１、端末認証・通信部２１を備える。携帯電話機は、アプリケーション実行部１３と、アプリケーションの実行に伴う画面を生成する画面生成部１２を備え、生成した画面情報を表示・入力装置へ送信する。表示・入力装置は、携帯電話機からの前記画面情報を表示させる画面表示部２３と、該表示・入力装置で入力された操作内容で操作イベント情報を生成するイベントリスナ２２を備え、生成した操作イベント情報を携帯電話機へ送信し、擬似的に携帯電話機のアプリケーションの操作を可能にした。【選択図】図１
2011176591.tif 000002
【特許請求の範囲】
【請求項１】
携帯端末と外部の表示・入力装置との間で構成される無線通信システムであって、
前記携帯端末、前記表示・入力装置はそれぞれ、通信に際して識別子情報を用いて相手機器との間で認証を行なう機能と、認証した相手機器との間で近距離無線通信を行なう機能とを有する機器認証・通信手段、端末認証・通信手段を備え、
前記携帯端末は更に、アプリケーションを実行させるアプリケーション実行手段と、アプリケーションの実行に伴う画面を生成する画面生成手段を備えることにより、生成した画面を前記識別子情報と共に画面情報に含ませて前記機器認証・通信手段を通して前記表示・入力装置へ送信し、
前記表示・入力装置は更に、前記端末認証・通信手段を通して受信した前記携帯端末からの前記画面情報に含まれる画面を表示画面に表示させる画面表示手段と、当該表示・入力装置へのユーザによる操作を検知して操作内容と前記識別子情報を含む操作イベント情報を生成するイベント情報生成手段を備えることにより、生成した操作イベント情報を前記端末認証・通信手段を通して前記携帯端末へ送信し、
前記アプリケーション実行手段は、前記機器認証・通信手段を通して受信した前記操作イベント情報に応じた機能を実行することにより、前記表示・入力装置より擬似的に前記携帯端末のアプリケーションを操作することを可能にしたことを特徴とする無線通信システム。
【請求項２】
前記表示・入力装置は前記表示画面にタッチパネルを備え、前記イベント情報生成手段はユーザによる該タッチパネル操作を検知して前記操作イベント情報を生成することを特徴とする請求項１に記載の無線通信システム。
【請求項３】
前記アプリケーションはナビゲーションアプリであり、前記アプリケーション実行手段により該ナビゲーションアプリを実行中に前記画面生成手段で生成したナビ用の表示画面を画面情報に含ませて前記機器認証・通信手段経由で前記表示・入力装置に送信し、
前記表示・入力装置ではこれを受信して、前記画面表示手段が、受信したナビ用の表示画面を前記表示画面に表示させることで前記表示・入力装置にナビゲーションアプリの画面を表示させることを可能とし、
一方、前記表示・入力装置における前記ユーザによるタッチパネル操作に対し、前記イベント情報生成手段が前記操作イベント情報を生成して前記端末認証・通信手段経由で前記携帯端末に送信し、
前記携帯端末ではこれを受信し、前記アプリケーション実行手段にイベントとして前記ユーザによるタッチパネル操作をインプットすることで、前記表示・入力装置におけるタッチパネル操作によりナビゲーションアプリを操作することを可能としたことを特徴とする請求項２に記載の無線通信システム。
【請求項４】
前記携帯端末は更に、前記機器認証・通信手段より認証完了通知を受け取ると前記アプリケーション実行手段に対してアプリケーション開始要求を、受信した前記識別子情報とともに送信するアプリケーション制御手段を備え、該アプリケーション制御手段はまた、前記機器認証・通信手段より前記操作イベント情報を受け取ると、該操作イベント情報に含まれる前記識別子情報が認証済みの機器かを確認し、認証済であれば前記アプリケーション実行手段に対して前記操作イベント情報を送信し、前記アプリケーション実行手段は、アプリケーション開始要求時に渡された前記識別子情報に対応したアプリケーションを起動することにより、前記携帯端末と前記表示・入力装置との認証タイミングにて前記識別子情報に対応したアプリケーションを自動的に起動可能としたことを特徴とする請求項１〜３のいずれか１項に記載の無線通信システム。
【請求項５】
前記携帯端末が更に、一時キャッシュ手段を備える一方、前記表示・入力装置は、前記携帯端末にて認証後に実行されるべき１つ以上のアプリケーションプログラムがあらかじめ格納されているアプリケーション保存手段を備え、
前記端末認証・通信手段は認証の完了後、前記アプリケーション保存手段に格納されているアプリケーションプログラムの１つを読み出して実行アプリケーションとして前記識別子情報と共に送信し、
前記機器認証・通信手段は、受信した実行アプリケーションを前記一時キャッシュ手段に格納し、認証完了通知とともに前記識別子情報を前記アプリケーション制御手段に送付し、
前記アプリケーション制御手段は、前記携帯端末と前記表示・入力装置との認証タイミングにて前記アプリケーション実行手段に対し前記実行アプリケーションを起動させるようにしたことを特徴とする請求項４に記載の無線通信システム。
【請求項６】
当該無線通信システムを１台の前記携帯端末と複数の前記表示・入力装置で構成し、前記携帯端末上のアプリケーションを複数の前記表示・入力装置上にて操作、表示することを特徴とする請求項１〜５のいずれか１項に記載の無線通信システム。
【請求項７】
携帯端末と外部の表示・入力装置との間で無線通信を行なう方法であって、
前記携帯端末、前記表示・入力装置はそれぞれ、通信に際して識別子情報を用いて相手機器との間で認証を行なう機能と、認証した相手機器との間で近距離無線通信を行なう機能とによる認証・通信機能を備え、
前記携帯端末は、アプリケーションを実行させるアプリケーション実行機能と、アプリケーションの実行に伴う画面を生成する画面生成機能により、生成した画面を前記識別子情報と共に画面情報に含ませて前記表示・入力装置へ送信し、
前記表示・入力装置は、受信した前記携帯端末からの前記画面情報に含まれる画面を表示画面に表示させる画面表示機能と、当該表示・入力装置へのユーザによる操作を検知して操作内容と前記識別子情報を含む操作イベント情報を生成するイベント情報生成機能により、生成した操作イベント情報を前記携帯端末へ送信し、
前記携帯端末は、前記アプリケーション実行機能により、前記表示・入力装置から受信した前記操作イベント情報に応じた機能を実行することにより、前記表示・入力装置より擬似的に前記携帯端末のアプリケーションを操作することを可能にしたことを特徴とする無線通信方法。
【請求項８】
外部の表示・入力装置との間で無線通信システムを構成することのできる携帯端末であって、
該携帯端末は、通信に際して前記表示・入力装置との間で認証を行なう機能と、認証した表示・入力装置との間で近距離無線通信を行なう機能とを有する認証・通信手段と、
アプリケーションを実行させるアプリケーション実行手段と、
アプリケーションの実行に伴う画面を生成する画面生成手段と、を含み、
生成した画面を前記認証・通信手段を通して前記表示・入力装置へ送信することにより、前記表示・入力装置において前記アプリケーションの実行に伴う画面を表示させることができるようにしたことを特徴とする携帯端末。
【発明の詳細な説明】
【技術分野】
【０００１】
本発明は携帯端末と通信機能を持つ外部の表示・入力装置との組み合わせによる無線通信システムに関する。
【背景技術】
【０００２】
近年、携帯電話機はGPS(Global Positioning System)、Bluetooth（登録商標）、WLAN(Wireless Local Area Network)、加速度センサ、NFC(Near Field Communication)チップ等のさまざまなセンサ、デバイスを搭載しており、これらセンサ、デバイスを利用した高機能なアプリケーションを動作させることが可能である。特に有効であるのはナビゲーション機能であり、高価な車載用カーナビゲーションシステムの代用として利用することが可能なポテンシャルを保持している。
【０００３】
しかし、携帯電話機は元来持ち運びを前提とした設計がなされており、表示画面やキーやタッチパネル等の操作サイズが小型である。そのため手に持って利用する以外の携帯電話機の利用用途で使うためには視認性や操作性に課題がある。
【０００４】
携帯電話機をカーナビゲーションシステムの代用とする場合の課題に関して言えば、携帯電話機にディスプレイ手段を持つ外部装置を有線で接続し、携帯電話機で生成したナビゲーション用の画像を外部装置に送信してディスプレイ手段で表示できるようにした車載情報通信システムが提案されている（特許文献１）。外部装置のディスプレイ手段は携帯電話機の表示画面より大きな表示画面サイズを持つことは言うまでも無い。
【先行技術文献】
【特許文献】
【０００５】
【特許文献１】特開２００８−３０９７９４号公報
【発明の概要】
【発明が解決しようとする課題】
【０００６】
上記の車載情報通信システムは、携帯電話機と外部装置を接続ケーブルで接続している。これは、上記の車載情報通信システムは、携帯電話機と外部装置の接続に際し相互の認証までは考えていないことによるものである。その結果、上記の車載情報通信システムは、携帯電話機と外部装置が１対１の関係でしか適用できない。
【０００７】
上記説明は携帯電話機をカーナビゲーションシステムの代用とする場合の課題であるが、将来的に携帯電話機に代表される携帯端末の様々な機能を用いて電子機器を代用しようとする場合にも利用目的の違いから視認性や操作性が課題になると考えられる。
【０００８】
本発明は、携帯電話機にて代表される携帯端末においてアプリケーションの実行に伴って生成される画面を外部の表示・入力装置で表示可能とするだけでなく、外部の表示・入力装置側から携帯端末のアプリケーションを操作可能な無線通信システムを提供しようとするものである。
【課題を解決するための手段】
【０００９】
本発明の態様によれば、携帯端末と外部の表示・入力装置との間で構成される無線通信システムであって、前記携帯端末、前記表示・入力装置はそれぞれ、通信に際して識別子情報を用いて相手機器との間で認証を行なう機能と、認証した相手機器との間で近距離無線通信を行なう機能とを有する機器認証・通信手段、端末認証・通信手段を備え、前記携帯端末は更に、アプリケーションを実行させるアプリケーション実行手段と、アプリケーションの実行に伴う画面を生成する画面生成手段を備えることにより、生成した画面を前記識別子情報と共に画面情報に含ませて前記機器認証・通信手段を通して前記表示・入力装置へ送信し、前記表示・入力装置は更に、前記端末認証・通信手段を通して受信した前記携帯端末からの前記画面情報に含まれる画面を表示画面に表示させる画面表示手段と、当該表示・入力装置へのユーザによる操作を検知して操作内容と前記識別子情報を含む操作イベント情報を生成するイベント情報生成手段を備えることにより、生成した操作イベント情報を前記端末認証・通信手段を通して前記携帯端末へ送信し、前記アプリケーション実行手段は、前記機器認証・通信手段を通して受信した前記操作イベント情報に応じた機能を実行することにより、前記表示・入力装置より擬似的に前記携帯端末のアプリケーションを操作することを可能にしたことを特徴とする無線通信システムが提供される。
【００１０】
上記の態様による無線通信システムにおいては、前記表示・入力装置は前記表示画面にタッチパネルを備え、前記イベント情報生成手段はユーザによる該タッチパネル操作を検知して前記操作イベント情報を生成するようにされるのが望ましい。
【００１１】
上記の態様による無線通信システムにおいては、前記アプリケーションはナビゲーションアプリであり、前記アプリケーション実行手段により該ナビゲーションアプリを実行中に前記画面生成手段で生成したナビ用の表示画面を画面情報に含ませて前記機器認証・通信手段経由で前記表示・入力装置に送信し、前記表示・入力装置ではこれを受信して、前記画面表示手段が、受信したナビ用の表示画面を前記表示画面に表示させることで前記表示・入力装置にナビゲーションアプリの画面を表示させることを可能とし、一方、前記表示・入力装置における前記ユーザによるタッチパネル操作に対し、前記イベント情報生成手段が前記操作イベント情報を生成して前記端末認証・通信手段経由で前記携帯端末に送信し、前記携帯端末ではこれを受信し、前記アプリケーション実行手段にイベントとして前記ユーザによるタッチパネル操作をインプットすることで、前記表示・入力装置におけるタッチパネル操作によりナビゲーションアプリを操作することができる。
【００１２】
上記の態様による無線通信システムにおいては、前記携帯端末が更に、前記機器認証・通信手段より認証完了通知を受け取ると前記アプリケーション実行手段に対してアプリケーション開始要求を、受信した前記識別子情報とともに送信するアプリケーション制御手段を備え、該アプリケーション制御手段はまた、前記機器認証・通信手段より前記操作イベント情報を受け取ると、該操作イベント情報に含まれる前記識別子情報が認証済みの機器かを確認し、認証済であれば前記アプリケーション実行手段に対して前記操作イベント情報を送信し、前記アプリケーション実行手段は、アプリケーション開始要求時に渡された前記識別子情報に対応したアプリケーションを起動することにより、前記携帯端末と前記表示・入力装置との認証タイミングにて前記識別子情報に対応したアプリケーションを自動的に起動可能とすることができる。
【００１３】
上記の態様による無線通信システムにおいては、前記携帯端末が更に、一時キャッシュ手段を備える一方、前記表示・入力装置は、前記携帯端末にて認証後に実行されるべき１つ以上のアプリケーションプログラムがあらかじめ格納されているアプリケーション保存手段を備え、前記端末認証・通信手段は認証の完了後、前記アプリケーション保存手段に格納されているアプリケーションプログラムの１つを読み出して実行アプリケーションとして前記識別子情報と共に送信し、前記機器認証・通信手段は、受信した実行アプリケーションを前記一時キャッシュ手段に格納し、認証完了通知とともに前記識別子情報を前記アプリケーション制御手段に送付し、前記アプリケーション制御手段は、前記携帯端末と前記表示・入力装置との認証タイミングにて前記アプリケーション実行手段に対し前記実行アプリケーションを起動させることができる。
【００１４】
上記の態様による無線通信システムにおいては、当該無線通信システムを１台の前記携帯端末と複数の前記表示・入力装置で構成し、前記携帯端末上のアプリケーションを複数の前記表示・入力装置上にて操作、表示することもできる。
【００１５】
本発明によればまた、携帯端末と外部の表示・入力装置との間で無線通信を行なう方法であって、前記携帯端末、前記表示・入力装置はそれぞれ、通信に際して識別子情報を用いて相手機器との間で認証を行なう機能と、認証した相手機器との間で近距離無線通信を行なう機能とによる認証・通信機能を備え、前記携帯端末は、アプリケーションを実行させるアプリケーション実行機能と、アプリケーションの実行に伴う画面を生成する画面生成機能により、生成した画面を前記識別子情報と共に画面情報に含ませて前記表示・入力装置へ送信し、前記表示・入力装置は、受信した前記携帯端末からの前記画面情報に含まれる画面を表示画面に表示させる画面表示機能と、当該表示・入力装置へのユーザによる操作を検知して操作内容と前記識別子情報を含む操作イベント情報を生成するイベント情報生成機能により、生成した操作イベント情報を前記携帯端末へ送信し、前記携帯端末は、前記アプリケーション実行機能により、前記表示・入力装置から受信した前記操作イベント情報に応じた機能を実行することにより、前記表示・入力装置より擬似的に前記携帯端末のアプリケーションを操作することを可能にしたことを特徴とする無線通信方法が提供される。
【００１６】
本発明によれば更に、外部の表示・入力装置との間で無線通信システムを構成することのできる携帯端末であって、該携帯端末は、通信に際して前記表示・入力装置との間で認証を行なう機能と、認証した表示・入力装置との間で近距離無線通信を行なう機能とを有する機器認証・通信手段と、アプリケーションを実行させるアプリケーション実行手段と、アプリケーションの実行に伴う画面を生成する画面生成手段と、を含み、生成した画面を前記機器認証・通信手段を通して前記表示・入力装置へ送信することにより、前記表示・入力装置において前記アプリケーションの実行に伴う画面を表示させることができるようにしたことを特徴とする携帯端末が提供される。
【発明の効果】
【００１７】
本発明の通信システムによれば、携帯端末においてアプリケーションの実行に伴って生成される画面を外部の表示・入力装置で表示可能となるだけでなく、携帯端末にて動作可能なアプリケーションに対して、外部の表示・入力装置からの操作・参照を行うことが可能となることで、外部の表示・入力装置上にて擬似的に携帯端末のアプリケーションを操作し、利用することを可能となる。
【図面の簡単な説明】
【００１８】
【図１】本発明による無線通信システムの第１の実施例を実現するために必要な携帯電話機と外部の表示・入力装置の構成例を示した図である。
【図２】本発明による無線通信システムにおいて携帯電話機から送信される画面情報と、外部の表示・入力装置から送信されるイベント情報の一例を示した図である。
【図３】本発明による無線通信システムの第１の実施例の動作を説明するための図である。
【図４】本発明による無線通信システムにおける外部の表示・入力装置の操作例を説明するための図である。
【図５】本発明による無線通信システムの第２の実施例を実現するために必要な携帯電話機と外部の表示・入力装置の構成例を示した図である。
【図６】本発明による無線通信システムの第３の実施例を実現するために必要な携帯電話機と外部の表示・入力装置の構成例を示した図である。
【図７】本発明による無線通信システムの第４の実施例を説明するための図である。
【発明を実施するための形態】
【００１９】
はじめに、図１を参照して、本発明が適用される携帯端末が携帯電話機である場合の無線通信システムの構成について説明する。
【００２０】
図１において、携帯電話機１は、音声通話機能、データ通信・処理機能、ワンセグ放送表示機能、画像データや音声データの記憶・再生機能といった各種機能を実現するほか、GPSや加速度センサ等、ナビゲーションアプリを動作させることの可能な携帯端末機能部１４を具備すると共に、後述する表示・入力装置２との通信を行う機器認証・通信部１１、外部へ出力する画面を生成する画面生成部１２、及びアプリケーション本体（プログラム）を実行、動作させるアプリケーション実行部１３を具備する。表示・入力装置２は、携帯電話機１に備えられた表示装置とは別の、いわば外部表示・入力装置であることは言うまでも無く、表示・入力というのは画面表示機能とデータ等の入力機能を有することを意味する。
【００２１】
表示・入力装置２は、携帯電話機１と無線通信可能とするための端末認証・通信部２１を具備するほか、タッチパネル２４、及び表示画面２５、携帯電話機１より送信された表示情報を表示画面２５に表示させるための画面表示部２３、タッチパネル２４からのタッチ操作に伴う入力をイベント情報（操作イベント情報）に変換するイベントリスナ（イベント情報生成手段）２２を具備する。表示画面２５のサイズは、携帯電話機１の備える表示画面の表示サイズより大きい。
【００２２】
このような携帯電話機１、表示・入力装置２により、携帯電話機１において、例えばナビゲーションアプリを実行中に画面生成部１２で生成したナビ用の表示画面を機器認証・通信部１１経由で表示・入力装置２に送信し、表示・入力装置２ではこれを受信し、画面表示部２３が、受信したナビ用の表示画面を表示画面２５に表示させることで表示・入力装置２にナビゲーションアプリの画面を表示させることが可能となる。
【００２３】
一方、表示・入力装置２におけるタッチパネル２４上のユーザ操作に対し、イベントリスナ２２が操作をイベント情報にして端末認証・通信部２１経由で携帯電話機１に送信し、携帯電話機１ではこれを受信し、アプリケーション実行部１３にイベントとしてユーザ操作をインプットすることで、表示・入力装置２からの操作によりナビゲーションアプリを操作することが可能となる。
【００２４】
なお、上記のような携帯電話機１と表示・入力装置２との間の関係性から、両者間の無線通信は、通常、数ｍ程度以内の近距離通信で実行される。
【００２５】
［第１の実施例］
（第１の実施例の構成）
本発明に係る表示・操作拡張のための無線通信システムの第１の実施例について、図１、図２を参照して詳細に説明する。
【００２６】
図１を参照すると、第１の実施例による表示・操作拡張のための無線通信システムは、携帯電話機１と、表示・入力装置２とを含む。
【００２７】
前述したように、携帯電話機１は、機器認証・通信部１１と、画面生成部１２と、アプリケーション実行部１３と、携帯端末機能部１４とを備える。一方、表示・入力装置２は、端末認証・通信部２１と、イベントリスナ２２と、画面表示部２３と、タッチパネル２４と、表示画面２５とを備える。
【００２８】
携帯電話機１の機器認証・通信部１１は、表示・入力装置２の端末認証・通信部２１との間で機器同士の認証を行う機能、及び認証した機器間にて近距離無線通信(無線LAN,Bluetooth,NFC等)を行う機能を保持する。機器同士の認証方法については、ここでは言及しないが、第１の実施例中では具体例として携帯電話機１と表示・入力装置２に接続ボタンを設け、両者の通信範囲内で接続ボタンを同時に押下することで機器の特定と認証を行う方法を想定している。認証が成功した際には機器認証・通信部１１は表示・入力装置２の持つデバイス識別子を取得し保存する。機器認証・通信部１１はまた、デバイス識別子情報をアプリケーション実行部１３に送付する。
【００２９】
機器認証・通信部１１はまた、表示・入力装置２の端末認証・通信部２１と認証済の状況下において、画面生成部１２より画面情報３（図２）が送付されると、画面情報３に含まれるデバイス識別子３１（図２）を参照し、参照の結果判別された、対象となる表示・入力装置２へ画面情報３を送信する。
【００３０】
機器認証・通信部１１はさらに、表示・入力装置２よりイベント情報４（図２）が送信され、これを受信した場合、受信したイベント情報４に含まれるデバイス識別子４１（図２）が認証済みの機器かを確認し、認証済であれば、アプリケーション実行部１３にイベント情報４を引き渡す。
【００３１】
携帯電話機１の画面生成部１２は、アプリケーション実行部１３より表示画面の描画要求を受けると動作し、同時に渡されるデバイス識別子と描画要求から、対象の表示・入力装置２で表示される表示情報３２（図２）を更新する為の画面情報３を作成し、機器認証・通信部１１に引き渡す。
【００３２】
携帯電話機１のアプリケーション実行部１３は、従来と同様の携帯端末アプリケーションプログラムの実行環境を具備し、ユーザ操作によりアプリケーション動作を開始する。開始したアプリケーションは携帯端末機能部１４と連携してアプリケーション動作を行う。第１の実施例ではアプリケーションとしてナビゲーションを実行するプログラムをあらかじめ図示しない記憶部に格納しており、アプリケーション実行部１３と携帯端末機能部１４が記憶部からナビゲーションプログラムを読み出して実行することにより協働してナビゲーションを実現するものとする。
【００３３】
アプリケーション実行部１３はまた、機器認証・通信部１１より渡されたイベント情報４を取得すると、そのイベント情報４に含まれる操作内容４２（図２）に含まれるアプリケーション動作に対する動作を実行する。具体例としては、表示・入力装置２におけるタッチパネル２４に対して「特定位置をタッチ」、「画面上を右から左になぞる(フリック動作)」等が行われた場合にイベントリスナ２２で生成され、送信されたイベント情報に基づいて、アプリケーション実行部１３がアプリケーションの別機能画面への切り替えを行う等が考えられる。
【００３４】
アプリケーション実行部１３はさらに、表示・入力装置２の表示画面２５の表示を更新する必要がある場合に、機器認証・通信部１１より渡される認証済のデバイス識別子を指定して画面生成部１２に描画要求を行う。
【００３５】
携帯端末機能部１４は、アプリケーション実行部１３と連携し、携帯電話機の備える従来と同様の各種機能、センサ、デバイスの機能、動作を実行する。具体的には、携帯端末機能部１４は、基地局とのパケット通信、GPSによる測位、加速度センサによる方角や移動速度の検出等を行う。
【００３６】
表示・入力装置２の端末認証・通信部２１は、携帯電話機１の機器認証・通信部１１と機器同士の認証を行う機能、及び認証した機器間で近距離無線通信(無線LAN,Bluetooth,NFC等)を行う機能を保持する。端末認証・通信部２１は、認証が成功した際には機器認証・通信部１１に対して、表示・入力装置２の持つデバイス識別子を送付する。
【００３７】
端末認証・通信部２１はまた、機器認証・通信部１１と認証済の状況下において、機器認証・通信部１１より画面情報３が送信されるとこれを受信し、受信した画面情報３を画面表示部２３に引き渡す。
【００３８】
端末認証・通信部２１はさらに、イベントリスナ２２よりイベント情報４が送付された場合に、機器認証・通信部１１にイベント情報４を引き渡す。
【００３９】
表示・入力装置２のイベントリスナ２２は、ユーザのタッチパネル操作の発生のたびにイベント情報４を作成し、端末認証・通信部２１にイベント情報４を引き渡す。
【００４０】
画面表示部２３は、端末認証・通信部２１より画面情報３を受け取ると、画面情報３に含まれる表示情報３２を基に表示画面２５の表示内容の更新を行う。
【００４１】
タッチパネル２４は、表示画面２５上に取り付けられたユーザ操作可能な操作パネルを示し、携帯電話機１におけるアプリケーション実行部１３に対して操作を行うためのユーザ操作の入力インターフェースを示す。
【００４２】
表示・入力装置２の表示画面２５は、アプリケーション実行部１３にて実行されるアプリケーションの実行画面を表示する出力インターフェースを示す。
【００４３】
図２を参照すると、画面情報３は、デバイス識別子３１と、表示情報３２とを含む。デバイス識別子３１は、表示・入力装置２を一意に決めることができるユニークIDを示す。表示情報３２は、アプリケーション実行部１３より要求された描画要求により画面生成部１２で生成され、表示画面２５にて表示を行うための表示画像を示す。
【００４４】
イベント情報４は、デバイス識別子４１と、操作内容４２とを含む。デバイス識別子４１は、表示・入力装置２を一意に決めることが出来るユニークIDを示す。
【００４５】
操作内容４２は、タッチパネル２４におけるユーザの操作内容を示す。具体的には、タッチパネル２４上の特定座標位置をタッチする、フリック動作を行う等の操作を示す。
【００４６】
（第１の実施例の動作）
次に、図１〜図４を参照して第１の実施例の動作について詳細に説明する。
【００４７】
図３は、携帯電話機１においてナビゲーションアプリを動作させ、車載の表示・入力装置２にて表示、操作を行う場合の実施例のトリガ操作を示している。図３では、携帯電話機１において操作Ａ、Ｂを行い、表示・入力装置２において操作Ａ、Ｃを行なうものとする。
【００４８】
操作Ａは、携帯電話機１と表示・入力装置２の両者の接続ボタンを同時に押下し、機器間の認証が発生した場合を指す。
【００４９】
操作Ｂは、ユーザが携帯電話機１よりナビゲーションアプリを起動した時のトリガ操作を指す。
【００５０】
図４は、図３の操作Ｃの具体的な操作イメージを示す。
【００５１】
操作Ｃは、表示・入力装置２にてユーザがタッチパネル２４を操作した時のトリガ操作を示す。
【００５２】
以下では、表示・入力装置２の表示画面２５上に表示されたボタン(図４では「現在地」と記されたボタン）をタッチパネル２４上にて選択した際の動作を説明する。
【００５３】
まず、操作Ａの場合について説明する。
【００５４】
操作Ａにて、携帯電話機１の接続ボタンと表示・入力装置２の接続ボタンを同時に押下することにより機器認証・通信部１１と端末認証・通信部２１間にて認証処理が行われる。認証完了後、端末認証・通信部２１は機器認証・通信部１１に表示・入力装置２のデバイス識別子を送信し、機器認証・通信部１１は認証されている間は表示・入力装置２のデバイス識別子を記憶、保持する。
【００５５】
これにより、携帯電話機１と表示・入力装置２間の基本的な接続が行われる。
【００５６】
次に、操作Ｂの場合について説明する。
【００５７】
操作Ｂにて、ユーザがナビゲーションアプリ起動操作を開始すると、アプリケーション実行部１３はナビゲーションアプリを実行し、ナビゲーションに必要な動作を携帯端末機能部１４と連携して開始する。動作開始後、ナビゲーションアプリが表示・入力装置２の画面表示を変更したい場合には、アプリケーション実行部１３より画面生成部１２に対して、操作Ａにて入手済みのデバイス識別子を指定して描画要求を行う。
【００５８】
画面生成部１２は、アプリケーション実行部１３より表示画面の描画要求を受けると、渡されたデバイス識別子と描画要求内容より、対象の表示・入力装置２で表示される表示情報３２を更新するための画面情報３を作成し、機器認証・通信部１１に引き渡す。
【００５９】
機器認証・通信部１１は、画面生成部１２より画面情報３が送付された際には、画面情報３に含まれるデバイス識別子３１を参照し、対象となる表示・入力装置の端末認証・通信部２１へ画像情報３を送信する。
【００６０】
端末認証・通信部２１は、画像情報３を受信すると、これを画面表示部２３に引渡し、画面情報３に含まれる表示情報３２を基に表示画面２５の表示内容の更新を行う。
【００６１】
これにより、ユーザがナビゲーションアプリの起動操作を行なうことで、表示・入力装置２上の表示画面２５にナビゲーションアプリの画面表示を行うことができる。
【００６２】
最後に、操作Ｃの場合について説明する。
【００６３】
操作Ｃにて、ユーザがタッチパネル２４のボタン部分を選択すると、イベントリスナ２２はユーザのタッチパネル操作を検知し、検知した操作に対応するイベント情報４を作成する。イベントリスナ２２は、作成したイベント情報４を端末認証・通信部２１に引き渡す。
【００６４】
端末認証・通信部２１はイベント情報４が引き渡されると、機器認証・通信部１１にイベント情報４を送信する。
【００６５】
機器認証・通信部１１は、表示・入力装置２から送信されたイベント情報４を受信し、受信したイベント情報４に含まれるデバイス識別子４１が認証済みの機器かを確認し、すでに認証済であれば、アプリケーション実行部１３にイベント情報４を引き渡す。
【００６６】
アプリケーション実行部１３は、イベント情報４を取得すると、デバイス識別子４１及び操作内容４２を基にタッチパネル２４上での操作を検知し、対応するアプリケーション動作を実行する。図４の例ではタッチパネル上の「現在地」のボタンがタッチされたことを検知することで、アプリケーション実行部１３はボタンを選択された際のアプリケーション動作を行う。
【００６７】
また、この際にアプリケーション動作として描画更新が発生する場合には、アプリケーション実行部１３は操作Ｂの場合と同様に画面生成部１２に対して、表示画面の描画要求を行い、最終的に表示画面２５の画面の更新を行う。
【００６８】
これにより、タッチパネル２４へのユーザ操作に対して、携帯電話機１内のアプリケーションを操作することが可能であり、操作後の画面へのフィードバックを表示画面２５に行うことで、擬似的に表示・入力装置２上でアプリケーションを動作しているように見せることができる。
【００６９】
（第１の実施例の効果）
第１の効果は、携帯電話機で動作するアプリケーションを外部の表示・入力装置上より擬似的に操作・表示を行える点である。
【００７０】
第２の効果は、携帯電話機で動作するアプリケーションを携帯電話機の本来持つ表示サイズや操作サイズにとらわれることなく外部の表示・入力装置で表示・操作することが可能であることである。
【００７１】
その理由は、外部の表示・入力装置と携帯電話機間であらかじめ認証を行い、表示・入力装置側のタッチパネル操作を携帯電話機のアプリケーション操作として利用する処理と、逆に携帯電話機上で表示・入力装置に合わせたアプリケーションを動作させることで表示・入力装置に合わせた表示画面をリアルタイムに送信・表示させる処理を並行して行なうことができるからである。
【００７２】
［第２の実施例］
本発明の第２の実施例として、その基本的構成は上記の第１の実施例とほぼ同様であるが、携帯電話機におけるアプリケーションの起動について工夫している。その構成例を図５に示す。
【００７３】
図５において、携帯電話機１は、図１の構成に加えて新たにアプリケーション制御部１６を備えている。
【００７４】
アプリケーション制御部１６の追加により機器認証・通信部１１’、及びアプリケーション実行部１３’の動作を次のように変更する。
【００７５】
機器認証・通信部１１’は、端末認証・通信部２１と機器同士の認証が完了した際に、認証完了通知とともにデバイス識別子情報をアプリケーション制御部１６に送付する。機器認証・通信部１１’はまた、表示・入力装置２より送付されたイベント情報４を受信した場合、アプリケーション制御部１６に受信したイベント情報４を引き渡す。
【００７６】
アプリケーション実行部１３’は、従来と同様の携帯端末アプリケーションの実行環境を具備し、アプリケーション制御部１６からのアプリケーション開始要求によりアプリケーション動作を開始する。開始するアプリケーションはアプリケーション開始要求時に渡されたデバイス識別子情報に対応したアプリケーションを起動する。アプリケーション実行中は、アプリケーション制御部１６より渡されたイベント情報４を取得すると、そのイベント情報４に含まれる操作内容４２（図２）に対するアプリケーション動作を実行する。
【００７７】
アプリケーション制御部１６は、機器認証・通信部１１’より認証完了通知を受け取ると、アプリケーション実行部１３’に対してアプリケーション開始要求をデバイス識別子情報と共に送信する。アプリケーション制御部１６はまた、機器認証・通信部１１よりイベント情報４を受け取ると、イベント情報４に含まれるデバイス識別子４１が認証済みの機器かを確認し、認証済であればアプリケーション実行部１３’に対して、イベント情報４をそのまま送信する。
【００７８】
上記のような動作の変更により、携帯電話機１と表示・入力装置２間での認証を実施した際に、機器認証・通信部１１’は、認証完了通知とともにデバイス識別子情報をアプリケーション制御部１６に送付し、アプリケーション制御部１６は認証完了通知に従いアプリケーション実行部１３’に対してアプリケーション開始要求をデバイス識別子情報とともに送信する。アプリケーション実行部１３’においては、アプリケーション開始要求時に渡されたデバイス識別子情報に対応したアプリケーションを起動する動作が発生する。
【００７９】
このように、第２の実施例では、携帯電話機１と表示・入力装置２との認証タイミングにて表示・入力装置２のデバイス識別子情報に対応したアプリケーションを自動的に起動しているので、ユーザが機器認証後に別途対応するアプリケーションを起動する手順を省くことが出来る。
【００８０】
本発明の第３の実施例として、その構成例を図６に示す。
【００８１】
図６において、第３の実施例による携帯電話機１は、第２の実施例による携帯電話機の構成に加えて、一時キャッシュ１７を備える。一方、表示・入力装置２は、第１、第２の実施例の表示・入力装置の構成に加えて、１つ以上のアプリケーションプログラムがあらかじめ格納されているアプリケーション保存領域２６を備えている。すなわち、アプリケーション保存領域２６は、携帯電話機１にて認証後に実行すべき１つ以上のアプリケーションプログラムの格納領域として機能する。一時キャッシュ１７、アプリケーション保存領域２６のいずれも、元々備えられている記憶装置の一部を利用して実現されても良い。
【００８２】
一時キャッシュ１７、アプリケーション保存領域２６の追加により、携帯電話機１の機器認証・通信部１１’及びアプリケーション実行部１３’、表示・入力装置２の端末認証・通信部２１’の動作を次のように変更する。
【００８３】
端末認証・通信部２１’は機器同士の認証が完了後、アプリケーション保存領域２６に格納されているアプリケーションプログラムの１つを読み出して実行アプリケーションとして送信する。機器認証・通信部１１’は、受信した実行アプリケーションを一時キャッシュ１７に格納し、認証完了通知とともにデバイス識別子情報をアプリケーション制御部１６に送付する。
【００８４】
一時キャッシュ１７は、認証した機器向けに実行するアプリケーションの格納領域を示す。
【００８５】
アプリケーション実行部１３’は、従来と同様の携帯端末アプリケーションの実行環境を具備し、アプリケーション制御部１６からのアプリケーション開始要求により一時キャッシュ１７に格納されたアプリケーションを起動する。アプリケーション実行部１３’は、アプリケーション実行中は、アプリケーション制御部１６より渡されたイベント情報４を取得すると、そのイベント情報４に含まれる操作内容４２（図２）に対するアプリケーション動作を実行する。
【００８６】
端末認証・通信部２１’は、機器認証・通信部１１’との認証処理完了後、アプリケーション保存領域２６より実行アプリケーションを取得し、機器認証・通信部１１’に送付する。
【００８７】
上記の動作の変更により、携帯電話機１と表示・入力装置２間での認証を実施した際に、端末認証・通信部２１’より機器認証・通信部１１’に実行アプリケーションが送付され、実行アプリケーションは一時キャッシュ１７に格納される。端末認証・通信部２１’は、あわせて認証完了通知とともにデバイス識別子情報をアプリケーション制御部１６に送付し、アプリケーション制御部１６は認証完了通知に従いアプリケーション実行部１３’に対してアプリケーション開始要求をデバイス識別子情報とともに送信する。アプリケーション実行部１３’は、アプリケーション開始要求を受けて一時キャッシュ１７に格納された実行アプリケーションを読み出して起動する。
【００８８】
このように、第３の実施例では、携帯電話機１と表示・入力装置２との認証タイミングにて表示・入力装置２より携帯電話機１にて実行すべきアプリケーションを送付し、自動的に起動するため、あらかじめ携帯電話機１内に実行すべきアプリケーションを格納する必要が無くなる。
【００８９】
なお、図１の第１の実施例について、携帯電話機１と表示・入力装置２は１対１の関係で説明したが、図７に第４の実施例として示すように１台の携帯電話機１に対して複数の表示・入力装置２を組み合わせて無線通信システムを構成してもよい。これにより、携帯電話機１上のアプリケーションを複数の表示・入力装置２上にて表示、操作を行うことが可能となる。
【産業上の利用可能性】
【００９０】
本発明は、携帯電話機に限らず、携帯端末と呼ばれ表示装置を備えた通信端末全般に適用可能である。
【００９１】
本発明はまた、携帯電話機をカーナビゲーションシステムの代用とする場合のみに限らず、将来的に携帯端末の様々な機能を用いて電子機器を代用することが考えられる。
【符号の説明】
【００９２】
１    携帯電話機
２    表示・入力装置
【図１】
2011176591.tif 000003
【図２】
2011176591.tif 000004
【図３】
2011176591.tif 000005
【図４】
2011176591.tif 000006
【図５】
2011176591.tif 000007
【図６】
2011176591.tif 000008
【図７】
2011176591.tif 000009